(57)【特許請求の範囲】
【請求項１】
コンポジット信号を入力して３次元Ｙ／Ｃ分離処理を施すことにより輝度信号とクロマ信号を生成すると共に輝度信号に対してノイズリダクション処理を行う機能を備えたＹ／Ｃ分離手段と、ディジタル放送受信外部機器からの受信ディジタル放送に基づくコンポーネント信号または当該コンポーネント信号に基づいて前記外部機器にて生成されたＹＣ分離信号を入力する手段と、を備えたテレビジョン受信装置において、前記外部機器からのディジタルＳＤ（Ｓｔａｎｄａｒｄ  Ｄｅｆｉｎｉｔｉｏｎ）放送４８０ｉのコンポーネント信号または当該コンポーネント信号に基づいて外部機器にて生成されたＹＣ分離信号における輝度信号を前記Ｙ／Ｃ分離手段に供給する信号供給経路を設けており、前記信号供給経路にて前記輝度信号を前記Ｙ／Ｃ分離手段に供給し、前記Ｙ／Ｃ分離手段のノイズリダクション処理を前記輝度信号に施すことでディジタルＳＤ放送４８０ｉのディジタルノイズが低減される構成とされたことを特徴とするテレビジョン受信装置。
【請求項２】
コンポジット信号を入力して３次元Ｙ／Ｃ分離処理を施すことにより輝度信号とクロマ信号を生成すると共に輝度信号に対してノイズリダクション処理を行う機能を備えたＹ／Ｃ分離手段と、ディジタル放送波を受信してコンポーネント信号を出力する内蔵のディジタル放送受信部と、を備えたテレビジョン受信装置において、前記内蔵のディジタル放送受信部からのディジタルＳＤ（Ｓｔａｎｄａｒｄ  Ｄｅｆｉｎｉｔｉｏｎ）放送４８０ｉのコンポーネント信号における輝度信号を前記Ｙ／Ｃ分離手段に供給する信号供給経路を設けており、前記信号供給経路にて前記輝度信号を前記Ｙ／Ｃ分離手段に供給し、前記Ｙ／Ｃ分離手段のノイズリダクション処理を前記輝度信号に施すことでディジタルＳＤ放送４８０ｉのディジタルノイズが低減される構成とされたことを特徴とするテレビジョン受信装置。
【請求項３】
請求項１又は請求項２に記載のテレビジョン受信装置において、ディジタルＳＤ放送４８０ｉのコンポーネント信号又は当該信号に基づくＹＣ分離信号かを判断し、この判断に基づいてディジタルＳＤ放送４８０ｉに対する信号供給経路の設定又は画質補正を行うことを特徴とするテレビジョン受信装置。
【請求項４】
請求項１又は請求項２に記載のテレビジョン受信装置において、利用者による切り換え操作に基づいてディジタルＳＤ放送４８０ｉに対する信号供給経路の設定又は画質補正を行うことを特徴とするテレビジョン受信装置。
【発明の詳細な説明】
【０００１】
【産業上の利用分野】
この発明は、外部機器から供給されるディジタル放送復調信号を入力したり、内蔵のディジタル放送受信部による復調信号に基づいて映像信号を出力するテレビジョン受信装置に関する。
【０００２】
【従来の技術】
近年、テレビジョン受信装置では、図６に示すように、コンポジット信号、Ｓ入力信号（Ｙ／Ｃ分離信号）、コンポーネント信号（ＹＣｂＣｒ）、Ｄ端子入力信号などの各種入力信号に対応するとともに、プログレッシブ変換（４８０ｉ→４８０ｐ等）、速度変調、３次元Ｙ／Ｃ分離などの高画質化処理に対応するために、Ｙ／Ｃ分離回路５１、スイッチＤ、クロマデコーダ５２、スイッチＥ、スキャンコンバータ５３、スイッチＦ、画質補正回路５４など、様々な回路が搭載される。画質補正回路５４はＣＰＵ５９から与えられる特性設定値をＤ／Ａ変換器５５にて電圧値として入力し、コアリングやシャープネスといった画質補正の特性を調整する。画質補正回路５４を経たＹＣｂＣｒは、ＲＧＢデコーダ５６にて三原色信号（Ｒ，Ｇ，Ｂ）に変換され、ＣＲＴドライブ５７が前記三原色信号を受けてＣＲＴ５８を駆動する。
【０００３】
図６に示すテレビジョン受信装置は、コンポジット信号やセットトップボックス６０からの各種の映像信号に対応する。図の下部には、入力映像信号と各スイッチＤ，Ｅ，Ｆの入力部との関係及びＹ／Ｃ分離回路５１での処理内容を示している。例えば、コンポジット（Ｃｏｍｐ．Ｖ）であれば、スイッチＤの▲１▼端子に入力され、所定の回路を経てスイッチＥの▲１▼端子に入力され、所定の回路を経てスイッチＦの▲１▼端子に入力されることを示し、更に、Ｙ／Ｃ分離回路５１においてＹ／Ｃ分離が行われることを示している。また、ＹＣ（４８０ｉ）であれば、スイッチＤの▲２▼端子に入力され、所定の回路を経てスイッチＥの▲１▼端子に入力され、所定の回路を経てスイッチＦの▲１▼端子に入力されることを示し、Ｙ／Ｃ分離回路５１は通らないことを示している。また、ＹＣｂＣｒ（４８０ｉ）であれば、スイッチＤは通らずに、スイッチＥの▲２▼端子に入力され、所定の回路を経てスイッチＦの▲１▼端子に入力されることを示し、Ｙ／Ｃ分離回路５１は通らないことを示している。
【０００４】
一方、図示はしていないが、ＢＳディジタルチューナ内蔵型のテレビジョン受信装置においても、４８０ｉ、４８０Ｐ、７２０Ｐ、１０８０ｉなどの信号に対して、必要に応じて走査線変換（例えば、プログレッシブ変換（４８０ｉ→４８０Ｐ））を行い、画質補正を行うようになっている。
【０００５】
通常の地上波放送やアナログＢＳ放送は、ＳＤ（Ｓｔａｎｄａｒｄ  Ｄｅｆｉｎｉｔｉｏｎ）放送と呼ばれ、４８０ｉであり、プログレッシブ放送は４８０ｐや７２０ｐ、ハイビジョン放送は１０８０ｉや７２０ｐなどとなる。そして、ＢＳディジタル放送でも、ＳＤ放送がアナログＢＳと同じ内容のサイマルキャストも含めて多く放送されている。
【０００６】
【発明が解決しようとする課題】
ディジタル放送におけるＳＤ放送の圧縮率は高く、ＭＰＥＧ２特有のブロックノイズやモスキートノイズといったディジタルノイズが強く現れる画面となる。ＭＰＥＧの元となるＪＰＥＧでは８×８画素のブロック単位で圧縮処理を行っているが、画質の劣化が著しい場合、隣り合うブロックで量子化の近似精度の差異が大きくなるため、復元した画像にブロック形状が見える。これが、ブロックノイズといわれるものである。また、ＪＰＥＧではＤＣＴ（離散コサイン変換）により画質の周波数分布を求め高周波成分をカットするが、元の画像の輝度成分にエッジなどの急峻な変化があると高周波成分が多くなり、これがカットされてゼロとみなされてしまうと、復元した画像において高周波成分が不足し、エッジなどの回りにおいて蚊が飛んでいるように見える。これがモスキートノイズと言われるものである。
【０００７】
図６に示したように、従来のテレビジョン受信装置では、セットトップボックス６０からの入力であるＹＣ信号（Ｓ入力）やＹＣｂＣｒ（４８０ｉ）のＳＤと、１０８０ｉをダウンコンバートした４８０ｉ（ＳＤ以外）とで特に補正処理を変えておらず、ＹＣｂＣｒ（４８０ｉ）のＳＤの画像においては前述のごとくディジタルノイズが目立つという不具合があった。
【０００８】
この発明は、上記の事情に鑑み、ディジタル放送のＳＤ（Ｓｔａｎｄａｒｄ  Ｄｅｆｉｎｉｔｉｏｎ）モードの映像においてディジタルノイズを低減することができるテレビジョン受信装置を提供することを目的とする。
【０００９】
【課題を解決するための手段】
この発明のテレビジョン受信装置は、上記の課題を解決するために、コンポジット信号を入力して３次元Ｙ／Ｃ分離処理を施すことにより輝度信号とクロマ信号を生成すると共に輝度信号に対してノイズリダクション処理を行う機能を備えたＹ／Ｃ分離手段と、ディジタル放送受信外部機器からの受信ディジタル放送に基づくコンポーネント信号または当該コンポーネント信号に基づいて前記外部機器にて生成されたＹＣ分離信号を入力する手段と、を備えたテレビジョン受信装置において、前記外部機器からのディジタルＳＤ（Ｓｔａｎｄａｒｄ  Ｄｅｆｉｎｉｔｉｏｎ）放送４８０ｉのコンポーネント信号または当該コンポーネント信号に基づいて外部機器にて生成されたＹＣ分離信号における輝度信号を前記Ｙ／Ｃ分離手段に供給する信号供給経路を設けており、前記信号供給経路にて前記輝度信号を前記Ｙ／Ｃ分離手段に供給し、前記Ｙ／Ｃ分離手段のノイズリダクション処理を前記輝度信号に施すことでディジタルＳＤ放送４８０ｉのディジタルノイズが低減される構成とされたことを特徴とする。
【００１０】
また、この発明のテレビジョン受信装置は、コンポジット信号を入力して３次元Ｙ／Ｃ分離処理を施すことにより輝度信号とクロマ信号を生成すると共に輝度信号に対してノイズリダクション処理を行う機能を備えたＹ／Ｃ分離手段と、ディジタル放送波を受信してコンポーネント信号を出力する内蔵のディジタル放送受信部と、を備えたテレビジョン受信装置において、前記内蔵のディジタル放送受信部からのディジタルＳＤ（Ｓｔａｎｄａｒｄ  Ｄｅｆｉｎｉｔｉｏｎ）放送４８０ｉのコンポーネント信号における輝度信号を前記Ｙ／Ｃ分離手段に供給する信号供給経路を設けており、前記信号供給経路にて前記輝度信号を前記Ｙ／Ｃ分離手段に供給し、前記Ｙ／Ｃ分離手段のノイズリダクション処理を前記輝度信号に施すことでディジタルＳＤ放送４８０ｉのディジタルノイズが低減される構成とされたことを特徴とする。
【００１１】
これらの構成であれば、ディジタルＳＤ放送４８０ｉで目立つブロックノイズやモスキートノイズが低減される。これらのノイズは映像上に現れるざわめき的なノイズであり、フレーム間における相関性は小さい。従って、Ｙ／Ｃ分離手段にてＹＮＲ（輝度信号ノイズリダクション）が施されることで、上記ノイズが低減されることになる。
【００１５】
ディジタルＳＤ放送４８０ｉのコンポーネント信号又は当該信号に基づくＹＣ分離信号かを判断し、この判断に基づいてディジタルＳＤ放送４８０ｉに対する信号供給経路の設定又は画質補正を行うようにしてもよい。内蔵ディジタル放送受信部を備える構成においては、ディジタル放送波のトランスポートストリームに含まれる付加情報によりＳＤか否かの判断が行える。ディジタル放送受信外部機器から信号を受ける構成では、例えば専用の通知線を設けることなどが考えられる。
【００１６】
利用者による切り換え操作に基づいてディジタルＳＤ放送４８０ｉに対する信号供給経路の設定又は画質補正を行うようにしてもよい。例えば、リモコン送信機に「ＳＤ画質補正」といったキーを設けることが考えられる。利用者にとってはＳＤ放送なのかＳＤ以外なのかは分からないが、ディジタルノイズが目立つときに「ＳＤ画質補正」キーを押してみることで画質が良くなれば、それでよく、ＳＤ放送なのかＳＤ以外なのかを知る必要はない。
【００１７】
【発明の実施の形態】
（実施形態１）
以下、この発明の実施形態を図１乃至図４に基づいて説明するが、ここではＢＳディジタルチューナ内蔵型のテレビジョン受信装置を例示している。このテレビジョン受信装置は、ディジタル放送の複数のトランスポンダのなかから一つをチューナによって選択し、この一つのトランスポンダに含まれる複数のチャンネルのうち一つをデマルチプレクス処理にて選択し、この選択したチャンネルのＭＰＥＧ２パケットをＡＶデコーダ１によってデコードし、更にＡ／Ｄ変換することによって映像・音声信号を出力する。ここで、ＡＶデコーダ１は、ＹＣｂＣｒ（４８０ｉ）のＳＤ及びＳＤ以外、ＹＣｂＣｒ（４８０ｐ）、及びＹＣｂＣｒ（１０８０ｉ）を出力するものとする。
【００１８】
Ｙ／Ｃ分離回路２は、コンポジット信号（Ｃｏｍｐ．Ｖ）から輝度信号（Ｙ）とクロマ信号（Ｃ）を分離して出力する回路である。このＹ／Ｃ分離回路２は、３次元Ｙ／Ｃ分離を行うものであり、１フレーム前の同一画素間の和や差をとったり、画像に動きがある場合には同一フィールドのライン間の画素間の相関をとることでＹ／Ｃ分離を行う。図２はＹ／Ｃ分離回路２の輝度信号処理部の一部を示した回路である。この図において、メモリ２ａは１フレーム前の画素データ等を保持する回路であり、動き検出回路２ｂは画像の動きを検出する回路であり、ミックス回路２ｃはノイズ成分を生成する回路であり、減算回路２ｄは輝度信号からノイズ成分を除去する回路であり、回路２ｅは動きが検出された場合のフレーム間の相関処理をキャンセルする回路である。また、この図２は輝度信号処理部の一部を示しており、Ｙｉｎの入力部にはこの発明に係る輝度信号及び一般のコンポジット信号が入力される。
【００１９】
スイッチＡ（ＳＷ  Ａ）は、図示しないアナログ地上波チューナからのコンポジット信号（Ｃｏｍｐ．Ｖ）を選択するか、ＡＶデコーダ１からのＹＣｂＣｒ（４８０ｉ）のＳＤにおける輝度信号（Ｙ）を選択するかをＣＰＵ１３の指令に基づいて切り換える。選択した信号は前記のＹ／Ｃ分離回路２に入力される。
【００２０】
クロマデコーダ３は、Ｙ／Ｃ分離回路２から出力された映像信号（Ｙ，Ｃ）を入力し、クロマ信号（Ｃ）から色差信号（Ｃｂ，Ｃｒ）を復調して出力する。
【００２１】
１ＨＤＬ回路４及びＤＬ回路５は、ＡＶデコーダ１からのＹＣｂＣｒ（４８０ｉ）のＳＤにおける色差信号ＣｂＣｒを入力し、これを遅延させる。すなわち、ＡＶデコーダ１からのＹＣｂＣｒ（４８０ｉ）のＳＤにおける輝度信号ＹがＹ／Ｃ分離回路２に入力されてから出力されるまでの時間に対応させて前記ＳＤの色差信号ＣｂＣｒを遅延させる。
【００２２】
スイッチＢ（ＳＷ  Ｂ）は、その入力端子▲１▼には、クロマデコーダ３からのＹＣｂＣｒ（コンポジット信号から生成されたＹＣｂＣｒ）を入力し、入力端子▲２▼には、ＤＬ回路５を経たＣｂＣｒに前記Ｙ／Ｃ分離回路２から出力された輝度信号（Ｙ）を加えたＹＣｂＣｒ（ＹＣｂＣｒ（４８０ｉ）のＳＤ）を入力し、入力端子▲３▼には、ＹＣｂＣｒ（４８０ｉ）のＳＤ以外を入力し、これら信号のいずれかをＣＰＵ１３の指令に基づいて選択してスキャンコンバータ７に与える。
【００２３】
スキャンコンバータ７は、スイッチＢから出力されたＹＣｂＣｒを入力し、４８０ｉ信号を４８０ｐ信号に変換して出力したり、或いは４８０ｉ信号を１０８０ｉ信号に変換して出力する。
【００２４】
スイッチＣ（ＳＷ  Ｃ）は、スキャンコンバータ７による変換によって得られたＹＣｂＣｒ（４８０ｐ又は１０８０ｉ）を選択するか、ＡＶデコーダ１からのＹＣｂＣｒ（４８０ｐ又は１０８０ｉ）を選択するかをＣＰＵ１３の指令に基づいて切り換える。
【００２５】
画質補正回路（ｓｈａｒｐｎｅｓｓ，ｃｏｒｉｎｇ  ＬＴＩ／ＣＴＩ）８は、輪郭強調の補正であるシャープネス、振幅の小さい領域を抑える補正であるコアリングなどを行う。輪郭強調においては、小信号に対して有効なピーキング、大信号に対して有効なＬＴＩ（輝度信号立ち上がり改善処理）やＣＴＩ（クロマ信号立ち上がり改善処理）がある。画質補正回路８は、Ｄ／Ａ変換器９から与えられる電圧値によって補正特性を変える。ＣＰＵ１３は前記電圧値を示すデータをＤ／Ａ変換器９に与える。すなわち、ＣＰＵ１３はＹＣｂＣｒ（４８０ｉ）のＳＤとそれ以外の映像信号とでＤ／Ａ変換器９に与えるデータを変化させ、これによってＹＣｂＣｒ（４８０ｉ）のＳＤに対する画質補正とそれ以外の映像信号の画質補正とを異ならせるようにしている。その具体例については、後述する。
【００２６】
ＲＧＢデコーダ１０は、画質補正されたＹＣｂＣｒを入力し、ブライトネス、コントラスト、カラー、ティント、バイアス、ドライブ等の調整をした後、三原色信号（Ｒ，Ｇ，Ｂ）に変換して出力する。
【００２７】
ＣＲＴドライブ１１は三原色信号（Ｒ，Ｇ，Ｂ）を増幅してＣＲＴ１２に与える。
【００２８】
ＣＰＵ１３は、スイッチＡ，Ｂ，Ｃにおける切り換え制御、メモリ２ａに対する制御、及びスイッチ１４に対する制御などを行う。スイッチ１４は、ＡＶデコーダ１からＹＣｂＣｒ（４８０ｉ）ＳＤが出力されるときには、図においてＳＤと表記された側へ信号を供給し、ＡＶデコーダ１からＹＣｂＣｒ（４８０ｉ）ＳＤ以外が出力されるときには、図においてＳＤ以外と表記された側へ信号を供給する。スイッチ１４は、ＣＰＵ１３からの制御信号によって上記切り換え動作を行う。ＣＰＵ１３は、トランスポートストリームに含まれる付加情報によってＳＤ判別が行える。
【００２９】
図１の下部には、入力映像信号と各スイッチＡ，Ｂ，Ｃの入力部との関係及びＹ／Ｃ分離回路２での処理内容を示している。例えば、コンポジット（Ｃｏｍｐ．Ｖ）であれば、スイッチＡの▲１▼端子に入力され、所定の回路を経てスイッチＢの▲１▼端子に入力され、所定の回路を経てスイッチＣの▲１▼端子に入力されることを示し、更に、Ｙ／Ｃ分離回路２においてＹ／Ｃ分離が行われることを示している。また、ＹＣｂＣｒ（４８０ｉ）のＳＤであれば、スイッチＡの▲２▼端子に入力され、所定の回路を経てスイッチＢの▲２▼端子に入力され、所定の回路を経てスイッチＣの▲１▼端子に入力されることを示し、更にＹ／Ｃ分離回路２でＹＮＲ（輝度信号ノイズリダクション）の処理が施されることを示している。また、ＹＣｂＣｒ（４８０ｉ）のＳＤ以外であれば、スイッチＡは通らずに、スイッチＢの▲３▼端子に入力され、所定の回路を経てスイッチＣの▲１▼端子に入力されることを示し、Ｙ／Ｃ分離回路２とは無関係であることを示している。
【００３０】
ＹＮＲはＹ／Ｃ分離回路２における３次元Ｙ／Ｃ分離において通常的に行われる処理であり、フレーム間における相関性のないノイズの除去に有益である。ＹＣｂＣｒ（４８０ｉ）のＳＤには、従来項で述べたが、ブロックノイズやモスキートノイズが多く含まれている。これらのノイズは映像上に現れるざわめき的なノイズであり、フレーム間における相関性は小さい。従って、Ｙ／Ｃ分離回路２に通してＹＮＲが施されることで、ＹＣｂＣｒ（４８０ｉ）の映像信号における上記ノイズが低減されることになる。
【００３１】
また、画質補正回路８では、ＹＣｂＣｒ（４８０ｉ）のＳＤに対する補正とそれ以外の映像信号の補正とで補正特性を異ならせており、これによってもＹＣｂＣｒ（４８０ｉ）のＳＤの画質が向上してる。図３（ａ）はコアリング補正を弱くした場合の説明図であり、同図（ｂ）はコアリング補正を強くした場合の説明図である。また、図４（ａ）は小信号箇所と大信号箇所を有する入力映像信号を示しており、同図（ｂ）は小信号に対するピーキング処理を強くし、大信号に対しても或る程度シャープネスゲインを大きくしてエッジを急峻にする処理を施した出力映像信号を示しており、同図（ｃ）は小信号に対するピーキング処理を弱くし、大信号に対してはシャープネスゲインを大きくしてエッジをより急峻にする処理を施した出力映像信号を示している。
【００３２】
画質補正回路８では、ＹＣｂＣｒ（４８０ｉ）のＳＤに対し、コアリングにおいては、図３（ｂ）のごとく補正し、ピーキングやシャープネスにおいては、図４（ｃ）のごとく補正する。すなわち、ブロックノイズなどはノイズとしては比較的大きなレベルを持つため、コアリング補正を深くし、このような比較的大きなレベルのノイズを除去する。また、ピーキングにおいては、ノイズを含む可能性が高い小信号部分については、その強調を避け、シャープネス（ＬＴＩ）においては、映像信号である可能性が高い大信号部分のエッジをより急峻にする。
【００３３】
（実施形態２）
この発明の第２の実施形態を図５に基づいて説明する。この実施形態では、セットトップボックス２１は、ディジタル放送のＹＣｂＣｒ（４８０ｉ）のＳＤをＹＣ分離信号に変換して出力することとし、テレビジョン受信装置は前記ＳＤのＹＣ分離信号をＳ端子にて入力する。ＳＤのＹＣ分離信号における輝度信号（Ｙ）はスイッチＡを介してＹ／Ｃ分離回路２に供給され、クロマ信号は直接にＹ／Ｃ分離回路２に供給される。図５の下部には、入力映像信号と各スイッチＡ，Ｂ′，Ｃへの入力部との関係及びＹ／Ｃ分離回路２での処理内容を示している。かかる場合も、ＳＤのＹＣ分離信号はＹ／Ｃ分離回路２のＹＮＲ機能によってディジタルノイズを除去されることになる。画質補正回路８については、実施形態１同様の処理を行うようになっていればよい。
【００３４】
なお、第２実施形態において、セットトップボックス２１とテレビジョン受信装置との間に映像フォーマット通知用の専用線を設け、この専用線を通じてセットトップボックス２１がディジタルＳＤ放送４８０ｉか否かをテレビジョン受信装置に通知し、この通知に基づいてディジタルＳＤ放送４８０ｉ用の信号供給経路の設定又は画質補正を行うようにしてもよい。
【００３５】
また、第１，第２実施形態において、利用者による切り換え操作に基づいて前記ディジタルＳＤ放送４８０ｉに対する信号供給経路の設定又は画質補正を行うようにしてもよい。例えば、リモコン送信機に「ＳＤ画質補正」といったキーを設け、このキーが操作されたときに、ディジタルＳＤ放送４８０ｉ用の信号供給経路の設定又は画質補正を行うようにしてもよい。
【００３６】
また、第１，第２実施形態では、テレビジョン受信装置としてプログレッシブテレビを示したが、ノーマルスキャンのテレビジョン受信装置でも同様にＹＮＲに通したり、小信号のピーキング、大信号のシャープネス（ＬＴＩ）において特性を違えることで、ディジタルＳＤ放送４８０ｉのディジタルノイズを低減することができる。
【００３７】
【発明の効果】
以上説明したように、この発明によれば、ディジタル放送のＳＤ（Ｓｔａｎｄａｒｄ  Ｄｅｆｉｎｉｔｉｏｎ）モードの映像においてディジタルノイズを低減することができるという効果を奏する。
【図面の簡単な説明】
【図１】この発明における第１実施形態のテレビジョン受信装置を示したブロック図である。
【図２】図１のＹ／Ｃ分離回路の一部（ＹＮＲ機能部）を示した回路図である。
【図３】コアリング補正例を示した説明図であり、同図（ａ）は一般の補正を示し、同図（ｂ）はディジタルＳＤ放送４８０ｉ用の補正を示している。
【図４】ピーキング補正例及びシャープネス（ＬＴＩ）補正例を示した説明図であり、同図（ａ）は入力信号を示し、同図（ｂ）は一般の補正を示し、同図（ｃ）はディジタルＳＤ放送４８０ｉ用の補正を示している。
【図５】この発明における第２実施形態のテレビジョン受信装置を示したブロック図である。
【図６】従来のテレビジョン受信装置を示したブロック図である。
【符号の説明】
１    ＡＶデコーダ
２    Ｙ／Ｃ分離回路
３    クロマデコーダ
７    スキャンコンバータ
８    画質補正回路
１４  スイッチ
【図１】
0003619785.tif 000002
【図２】
0003619785.tif 000003
【図３】
0003619785.tif 000004
【図４】
0003619785.tif 000005
【図５】
0003619785.tif 000006
【図６】
0003619785.tif 000007